(57)【特許請求の範囲】
【請求項１】
パケット交換方式のＶｏＬＴＥ（Ｖｏｉｃｅ  ｏｖｅｒ  ＬＴＥ）で音声通話を行う電話機と、前記電話機と通信可能なサーバ装置と、を備える通話システムであって、
前記サーバ装置は、
発信元の識別番号を含む着呼を受信する受信部と、
前記着呼が国際呼であるか否かを判定する判定部と、
前記着呼が国際呼であると判定された場合に前記識別番号の先頭に予め定められた数字を付与する付与部と、
前記予め定められた数字が付与された前記識別番号を着信先の電話機に通知する通知部と、を備え、
前記電話機は、
前記着呼を受け付ける着呼部と、
前記着呼に含まれる前記識別番号の先頭に前記予め定められた数字が更に含まれる場合に前記予め定められた数字を前記着呼が国際呼であることを示し、回線交換方式で利用されている符号と同じ符号に置換する置換部と、
前記符号及び前記識別番号を出力する出力部と、を備える、
通話システム。
【請求項２】
前記予め定められた数字は、複数桁で構成される、
請求項１に記載の通話システム。
【請求項３】
前記置換部は、前記予め定められた数字を記号に置換する、
請求項１又は２に記載の通話システム。
【請求項４】
前記置換部は、前記予め定められた数字を「＋」に置換する、
請求項３に記載の通話システム。
【請求項５】
パケット交換方式のＶｏＬＴＥ（Ｖｏｉｃｅ  ｏｖｅｒ  ＬＴＥ）で音声通話を行う電話機であって、
着信元の識別番号を含む着呼を受け付ける着呼部と、
前記着呼に含まれる前記識別番号の先頭に予め定められた数字が更に含まれる場合に前記予め定められた数字を前記着呼が国際呼であることを示し、回線交換方式で利用されている符号と同じ符号に置換する置換部と、
前記符号及び前記識別番号を出力する出力部と、
を備える電話機。
【発明の詳細な説明】
【技術分野】
【０００１】
本発明は、通話システム及び電話機に関する。
【背景技術】
【０００２】
従来から、電話回線を用いた回線交換方式で音声通話を行う電話機が知られている。この回線交換方式では通信が終わるまで通信チャネルを占有してしまうため、近年では、これに代わり、ＩＰ回線（インターネット回線）を用いたパケット交換方式で音声通話を行う電話機が導入され始めている。
【０００３】
このパケット交換方式で音声通話を実現する通話システムの一例として、ＬＴＥ（Ｌｏｎｇ Ｔｅｒｍ Ｅｖｏｌｕｔｉｏｎ）網を用いたＶｏＬＴＥ（Ｖｏｉｃｅ ｏｖｅｒ ＬＴＥ）と呼ばれるものがある（例えば特許文献１参照。）。
【０００４】
ここで、従来の回線交換方式の通話システムでは、海外から国内の電話機に向けて着呼がある場合には、その着呼が国際呼であること示す設定パラメータ（Ｔｙｐｅ ｏｆ Ｎｕｍｂｅｒ: Ｉｎｔｅｒｎａｔｉｏｎａｌ）を着呼先の電話機に通知する仕組みとなっている。そして、着呼先の電話機では、その着呼に設定パラメータが有るか否かで着呼が国際呼であるか否かを判定し、肯定判定した場合には、着信元（発信者）の電話番号の先頭に「＋」を付与し、これらを画面に表示している（例えば特許文献２参照。）。
【先行技術文献】
【特許文献】
【０００５】
【特許文献１】特開２０１５−１９５５３６号公報
【特許文献２】特表２０１０−５２９７１１号公報
【発明の概要】
【発明が解決しようとする課題】
【０００６】
しかしながら、近年のパケット交換方式、特にＶｏＬＴＥを採用した通話システムでは、着呼が国際呼であっても、着信元の電話番号のみが画面上に表示される仕組みとなっている。これでは、ユーザは、着呼が国際呼であるか否か把握できない。
【０００７】
本発明は以上説明した事情を鑑みてなされたものであり、パケット交換方式で音声通話
を行う電話機において海外から国内の電話機に向けて着呼がある場合に、ユーザに対して
その着呼が国際呼であることを把握可能にする通話システム及び電話機を提供することを目的の一つとする。
【課題を解決するための手段】
【０００８】
[課題を解決するための手段]
本発明の第一態様における通話システムは、パケット交換方式のＶｏＬＴＥ（Ｖｏｉｃｅ  ｏｖｅｒ  ＬＴＥ）で音声通話を行う電話機と、前記電話機と通信可能なサーバ装置と、を備える通話システムであって、前記サーバ装置は、発信元の識別番号を含む着呼を受信する受信部と、前記着呼が国際呼であるか否か判定する判定部と、前記着呼が国際呼であると判定された場合に前記識別番号の先頭に予め定められた数字を付与する付与部と、前記予め定められた数字が付与された前記識別番号を着信先の電話機に通知する通知部と、を備え、前記電話機は、前記着呼を受け付ける着呼部と、前記着呼に含まれる前記識別番号の先頭に前記予め定められた数字が更に含まれる場合に前記予め定められた数字を前記着呼が国際呼であることを示し、回線交換方式で利用されている符号と同じ符号に置換する置換部と、前記符号及び前記識別番号を出力する出力部と、を備える。
【発明の効果】
【０００９】
本発明によれば、パケット交換方式で音声通話を行う電話機において海外から国内の電話機に向けて着呼がある場合に、ユーザに対してその着呼が国際呼であることが把握させることができる。
【図面の簡単な説明】
【００１０】
【図１】図１は、本発明の実施形態に係る通話システムの概略構成の一例を説明するための図である。
【図２】図２は、サーバ装置の機能構成の一例を説明するためのブロック図である。
【図３】図３は、図１に示す電話機の機能構成の一例を説明するためのブロック図である。
【図４】図４は、図２に示すサーバ装置の各機能構成の処理の流れを説明するためのフローチャートである。
【図５】図５は、図３に示す電話機の各機能構成の処理の流れを説明するためのフローチャートである。
【発明を実施するための形態】
【００１１】
以下、添付図面を参照しながら本発明の実施形態について説明する。説明の理解を容易にするため、各図面において同一の構成要素及びステップに対しては可能な限り同一の符号を付して、重複する説明は省略する。
【００１２】
図１は、本発明の実施形態に係る通話システム１を含むシステム全体の概略構成の一例を説明するための図である。
【００１３】
図１に示す通話システム１は、例えば携帯電話向けの移動通信システムである。この通話システム１には、パケット交換方式、特にＶｏＬＴＥが採用されている。したがって、この通話システム１では、第３世代（３Ｇ）携帯電話のデータ通信を高速化したＬＴＥ方式で、音声通話をパケット通信を用いて実現することが可能となっている。以下では、通話システム１において海外の電話機１０Ｂから国内の電話機１０Ａに向けて国際通話が行われる場合を説明する。
【００１４】
通話システム１は、電話機１０Ａと、サーバ装置１２と、を備える。
【００１５】
電話機１０Ａは、国内のユーザが所持するものである。電話機１０Ａの種類は、移動体通信端末の携帯電話機であるが、移動通信システム以外でも、パケット交換方式で音声通話を行われ、上述したように着呼が国際呼であることが把握できないものであれば、固定のＩＰ電話機等であってもよい。この電話機１０Ａは、パケット交換方式で音声通話を行うことが可能となっている。具体的には、電話機１０Ａは、ＶｏＬＴＥ対応の機種であり、国内のＬＴＥ網Ｎ１に基地局ＢＳを介して接続可能となっている。また、電話機１０Ａは、回線交換網を介した音声通信機能とパケットデータ網を介した音声通信機能とを有する電話機であってもよく、この場合、電話機１０Ａが在圏している網に応じて着呼の方式が切り替わる。以下では、ＶｏＬＴＥを用いて海外の電話機１０Ｂから国内の電話機１０Ａに向けて国際通話が行われる場合を説明する。
【００１６】
サーバ装置１２は、ＬＴＥ網Ｎ１上に設けられ、電話機１０Ａと通信可能とされており、電話機１０Ａと電話機１０Ｂとの間の通話の開始を仲介するコンピュータである。
【００１７】
以上の通信システム１は、ＬＴＥ網Ｎ１から一又は複数の通信網を介して海外網Ｎ２に接続されている。この海外網Ｎ２には、電話機１０Ｂが接続されている。この電話機１０Ｂは、海外のユーザが所持するものである。電話機１０Ｂの種類は、固定電話、携帯電話、ＰＨＳ電話、ＩＰ電話など特に限定されない。また、電話機１０Ｂは、電話機１０Ａと異なり、パケット交換方式で音声通話が可能となっていなくてもよい。本実施形態では、電話機１０Ｂは、回線交換方式対応の固定電話である。
【００１８】
図２は、図１に示すサーバ装置１２の機能構成の一例を説明するためのブロック図である。この図２に示すように、サーバ装置１２は、通信部２０と、判定部２２と、付与部２４と、通知部２６と、を備える。
【００１９】
通信部２０は、ネットワークインターフェースカード等で構成される。その他の判定部２２、付与部２４及び通知部２６は、メモリ等に記憶されているプログラムをプロセッサが実行することにより実現される。
【００２０】
通信部２０は、ＬＴＥ網Ｎ１と接続し、各種データや信号を電話機１０Ｂ等から受信する受信部としての機能と、各種データや信号を電話機１０Ａ等へ送信する送信部としての機能と、を有している。本実施形態では、通信部２０は、例えば発信元として電話機１０Ｂ等から電話機１０Ａに向けた着呼を受信する。なお、着呼には、識別番号として発信元の電話機１０Ｂに設定されている電話番号を含む。
【００２１】
判定部２２は、通信部２０による着呼の受信に応答して、当該着呼が国際呼であるか否かを判定する。
【００２２】
付与部２４は、判定部２２により着呼が国際呼であると判定された場合に着呼に含まれる電話番号の先頭に予め定められた数字を付与する。以下、この予め定められた数字を「プレフィックス」と称す。このプレフィックスの桁数は、特に限定されないが、電話番号との区別を容易にするため、二桁以上が好ましく、本実施形態では三桁である。プレフィックスの値は、特に限定されないが、本実施形態では、「０１０」である。なお、付与部２４は、判定部２２により着呼が国内呼であると判定された場合には付与等の処理を行わない。
【００２３】
通知部２６は、通信部２０を介して、付与部２４によりプレフィックスが付与された電話番号或いはそのままの電話番号を着信先の電話機１０Ａに通知する。
【００２４】
図３は、図１に示す電話機１０Ａの機能構成の一例を説明するためのブロック図である。この図３に示すように、電話機１０Ａは、記憶部３０と、無線通信部３２と、マッチング部３４と、置換部３６と、表示部３８と、操作部４０と、通話部４２と、を備える。
【００２５】
記憶部３０は、ハードディスクやメモリ等で構成される。無線通信部３２は、通信回路やアンテナ等で構成される。表示部３８は、液晶ディスプレイ等で構成される。操作部４０は、ハードウェアキー或いはソフトウェアキーとしての、テンキー、オンフックキー及びオフフックキーを含む機能キー等で構成される。また、通話部４２は、マイクとスピーカを備え、メモリ等に記憶されているプログラムをプロセッサが実行することにより実現される。その他のマッチング部３４及び置換部３６は、メモリ等に記憶されているプログラムをプロセッサが実行することにより実現される。
【００２６】
記憶部３０は、各種データを記憶する機能を有する。この記憶部３０には、国際呼判定コード３０Ａと、電話帳３０Ｂと、置換コード３０Ｃと、が記憶されている。国際呼判定コード３０Ａは、上記プレフィックスと同一のコード「０１０」である。電話帳３０Ｂには、一以上の氏名に電話番号等が対応付けられて登録されている。置換コード３０Ｃは、ユーザに対して着呼が国際呼であることを示す数字以外のコードである。この置換コード３０Ｃは、好ましくは記号であり、本実施形態では従来の回線交換方式において着呼が国際呼であることを示すものと同じ「＋」である。なお、本実施形態の「コード」とは、文字、図形、数字又は記号等の符号を指す。
【００２７】
無線通信部３２は、基地局ＢＳを介して、ＬＴＥ網Ｎ１に接続して通話やデータ通信を行う機能を有する。具体的には、無線通信部３２は、着信元の電話番号を含む着呼を受け付け、着呼処理を実行する着呼部と、ユーザによる発呼指示に従って、発呼処理を実行する発呼部としての機能を有する。
【００２８】
マッチング部３４は、国際呼判定コード３０Ａを参照し、電話番号の他、当該電話番号の先頭に国際呼判定コード３０Ａと一致するプレフィックスが着呼に更に含まれているか否かを判定する機能を有する。また、マッチング部３４は、電話帳３０Ｂを参照し、着呼に含まれる電話番号と電話帳３０Ｂに登録されている電話番号とを判定結果に応じたマッチングを行う機能を有する。
【００２９】
置換部３６は、着呼に含まれる電話番号の先頭にプレフィックスが更に含まれる場合に、置換コード３０Ｃを参照して、プレフィックスを当該置換コード３０Ｃに置換する機能を有する。
【００３０】
表示部３８は、各種情報を表示する出力部としての機能を有する。本実施形態では、表示部３８は、着呼がある場合に、着信元の氏名を表示するか、或いは、置換コード３０Ｃ及び着呼に含まれる電話番号を表示する等の機能を有する。
【００３１】
操作部４０は、ユーザからの各種操作を受け付ける機能を有する。
【００３２】
通話部４２は、無線通信部３２の発呼部による発呼処理又は着呼部による着呼処理に応じて、音声通話を確立させる。
【００３３】
図４は、サーバ装置１２における各機能構成の処理の流れを説明するためのフローチャートである。
【００３４】
（ステップＳＰ１０）
サーバ装置１２の判定部２２は、通信部２０が着呼を受付けたか否かを判定する。そして、肯定判定された場合には処理がステップＳＰ１２の処理に移行し、否定判定した場合には図４に示す処理が終了する。
【００３５】
（ステップＳＰ１２）
判定部２２は、着呼の経路元等を調べることにより、通信部２０が受信した着呼が国際呼であるか否かを判定する。そして、肯定判定された場合には処理がステップＳＰ１６の処理に移行し、否定判定した場合には処理がステップＳＰ１４の処理に移行する。
【００３６】
（ステップＳＰ１４）
通知部２６は、通信部２０を介して、着信元の電話番号を含む着呼を本来の着信先である電話機１０Ａに通知する。そして、図４に示す処理が終了する。
【００３７】
（ステップＳＰ１６）
付与部２４は、着信元（電話機１０Ｂ）の電話番号の先頭にプレフィックス「０１０」を付与する。例えば、電話機１０Ｂの電話番号が「＊＊＊＊＊＊＊＊＊＊＊」である場合、プレフィックスが付与された電話番号は、「０１０＊＊＊＊＊＊＊＊＊＊＊」となる。なお、「＊」は、０〜９の何れか一つの番号である。そして、処理がステップＳＰ１８の処理に移行する。
【００３８】
（ステップＳＰ１８）
通知部２６は、通信部２０を介して、先頭に「０１０」が付与された電話番号を含む着呼を本来の着信先である電話機１０Ａに通知する。そして、図４に示す処理が終了する。
【００３９】
図５は、電話機１０Ａにおける各機能構成の処理の流れを説明するためのフローチャートである。
【００４０】
（ステップＳＰ２０）
電話機１０Ａのマッチング部３４は、無線通信部３２が着呼を受付けたか否かを判定する。そして、肯定判定された場合には処理がステップＳＰ２２の処理に移行し、否定判定した場合には図５に示す処理が終了する。
【００４１】
（ステップＳＰ２２）
マッチング部３４は、国際呼判定コード３０Ａを参照し、電話番号の先頭に国際呼判定コード３０Ａと同じプレフィックスが有るか否か判定する。そして、マッチング部３４は、プレフィックスが有れば着呼が国際呼であると肯定判定し、プレフィックスが無ければ着呼が国際呼でないと否定判定する。そして、肯定判定された場合には処理がステップＳＰ３２の処理に移行し、否定判定した場合には処理がステップＳＰ２４の処理に移行する。
【００４２】
（ステップＳＰ２４）
マッチング部３４は、電話帳３０Ｂを参照し、着呼に含まれる電話番号が電話帳３０Ｂに登録されている電話番号と一致するか否か判定する国内呼向け電話帳マッチングを行う。この国内呼向け電話帳マッチングの仕方については、従来技術を採用することができる。そして、処理がステップＳＰ２６の処理に移行する。
【００４３】
（ステップＳＰ２６）
置換部３６は、マッチング部３４により電話番号がマッチングしたか否かを判定する。そして、肯定判定された場合には処理がステップＳＰ３０の処理に移行し、否定判定した場合には処理がステップＳＰ２８の処理に移行する。
【００４４】
（ステップＳＰ２８）
表示部３８は、着信元の電話番号を電話機１０Ａの画面に表示する。そして、処理がステップＳＰ４０の処理に移行する。
【００４５】
（ステップＳＰ３０）
表示部３８は、電話帳３０Ｂの中でマッチングした電話番号に対応する着信元の氏名を電話機１０Ａの画面に表示する。そして、処理がステップＳＰ４０の処理に移行する。
【００４６】
（ステップＳＰ３２）
置換部３６は、置換コード３０Ｃを参照し、着信元（電話機１０Ｂ）の電話番号の先頭３桁の「０１０」を「＋」に置換する。例えば「０１０＊＊＊＊＊＊＊＊＊＊＊」が、「＋＊＊＊＊＊＊＊＊＊＊＊」に置換される。そして、処理がステップＳＰ３４の処理に移行する。
【００４７】
（ステップＳＰ３４）
マッチング部３４は、電話帳３０Ｂを参照し、着呼に含まれる電話番号が電話帳３０Ｂに登録されている電話番号と一致するか否かを判定する国際呼向け電話帳マッチングを行う。この国際呼向け電話帳マッチングでは、先頭の「＋」を除いた電話番号でマッチングが行われる。具体的なマッチングの仕方については、従来技術を採用することができる。そして、処理がステップＳＰ３６の処理に移行する。
【００４８】
（ステップＳＰ３６）
置換部３６は、マッチング部３４により電話番号がマッチングしたか否かを判定する。そして、肯定判定された場合には処理がステップＳＰ３０の処理に移行し、否定判定した場合には処理がステップＳＰ３８の処理に移行する。
【００４９】
（ステップＳＰ３８）
表示部３８は、「＋」の後に着信元の電話番号を電話機１０Ａの画面に表示する。そして、処理がステップＳＰ４０の処理に移行する。
【００５０】
（ステップＳＰ４０）
通話部４２は、操作部４０のオンフックキーが押下されたことにより、着呼に対するユーザの応答があるか否か判定する。そして、肯定判定された場合には処理がステップＳＰ４２の処理に移行し、否定判定した場合には図５に示す処理が終了する。
【００５１】
（ステップＳＰ４２）
通話部４２は、電話機同士、例えば電話機１０Ａと電話機１０Ｂとの音声通話を確立させる。そして、図５に示す処理が終了する。
【００５２】
以上、本実施形態では、海外から国内の電話機に向けて着呼がある場合に、置換部３６が着呼に含まれるプレフィックスを置換コード３０Ｃに置換し、表示部３８が置換コード３０Ｃ及び電話番号を表示するので、ユーザに対して着呼が国際呼であることを困惑することなく、すぐに確認させることができる。したがって、本実施形態によれば、パケット交換方式で音声通話を行う電話機１０Ａにおいて海外から国内の電話機に向けて着呼がある場合に、ユーザに対してその着呼が国際呼であることを把握可能にすることができる。
【００５３】
また、本実施形態では、プレフィックスは、複数桁で構成されているので、マッチング部３４によるプレフィックスと電話番号との区別が容易となる。
【００５４】
また、本実施形態では、置換部３６は、プレフィックスを記号に置換するので、表示部３８により表示された記号を見るユーザにとっても電話番号と区別がし易く、ユーザビリティを高めることができる。
【００５５】
また、置換部３６は、プレフィックスを「＋」に置換するので、従来の回線交換方式において電話番号の先頭にあるものと同じとなり、パケット交換方式の通話システム１でも従来の回線交換方式の通話システムと同じユーザビリティを実現することができる。
【００５６】
また、電話機１０Ａは、ＶｏＬＴＥを用いて海外から着呼した場合には、着呼が国際呼であることを示す設定パラメータが通知されないが、着呼に「０１０」が含まれることで、着呼が国際呼であることを判定できる。
【００５７】
以上、具体例を参照しつつ本発明の実施の形態について説明した。しかし、本発明はこれらの具体例に限定されるものではない。すなわち、これら具体例に、当業者が適宜設計変更を加えたものも、本発明の特徴を備えている限り、本発明の範囲に包含される。前述した各具体例が備える各要素およびその配置、条件、形状などは、例示したものに限定されるわけではなく適宜変更することができる。
【００５８】
例えば、ステップＳＰ３８において「＋」及び電話番号は、表示部３８により表示される場合を説明したが、例えばスピーカによって音声として出力されてもよい。
【符号の説明】
【００５９】
１…通話システム
１０Ａ…電話機
１２…サーバ装置
２２…判定部
２４…付与部
２６…通知部
３２…無線通信部（着呼部）
３６…置換部
３８…表示部（出力部）
４０…操作部
４２…通話部
【図１】
0006339121.tif 000002
【図２】
0006339121.tif 000003
【図３】
0006339121.tif 000004
【図４】
0006339121.tif 000005
【図５】
0006339121.tif 000006